(57)【要約】【課題】移植した海草類種苗が波によって流出するのを防止する。【解決手段】移植するアマモ苗１を内部に鉄鋼スラグ３を存在させた生分解性容器２で育成した苗床を海底砂地に移植する際に、生分解性容器２の内部の表面側を鉄鋼スラグ３で覆った状態で移植する。その際、移植する海底砂地６の周りに、基盤材として鉄鋼スラグ７を敷設する。【効果】鉄鋼スラグに含まれるSiO2およびP2O5成分により苗の成長が促進して十分に根がはって安定する。そして、生分解性容器で生産した苗床を移植した海底砂地の周りに基盤材として鉄鋼スラグを敷設するので、移植する海域の波条件により苗が流されるのを防止でき、安定した海草藻場を造成することができる。【選択図】図２
2014068594.tif 000002
【特許請求の範囲】
【請求項１】
生分解性容器で種子あるいは苗を育成する際に、生分解性容器内部に鉄鋼スラグを存在させることを特徴とする海草類種苗の育成方法。
【請求項２】
前記鉄鋼スラグは、生分解性容器の内部に充填する、種子あるいは苗の基質内に混合するものであることを特徴とする請求項１に記載の海草類種苗の育成方法。
【請求項３】
前記鉄鋼スラグは、生分解性容器内部の表面側を覆うものであることを特徴とする請求項１又は２に記載の海草類種苗の育成方法。
【請求項４】
前記鉄鋼スラグは、粒径が１０mm以下、真比重が２．９以上で、化学成分がSiO2：１０質量％以上、P2O5：０．５質量％以上であることを特徴とする請求項１〜３の何れかに記載の海草類種苗の育成方法。
【請求項５】
請求項２に記載の方法で育成した苗床を海底砂地に移植する際に、生分解性容器内部の表面側を鉄鋼スラグで覆った状態とすることを特徴とする海草類種苗の移植方法。
【請求項６】
請求項３に記載の方法で育成した苗床を海底砂地に移植することを特徴とする海草類種苗の移植方法。
【請求項７】
前記生分解性容器内部の表面側を覆う鉄鋼スラグは、粒径が１０mm以下、真比重が２．９以上で、化学成分がSiO2：１０質量％以上、P2O5：０．５質量％以上であることを特徴とする請求項５に記載の海草類種苗の移植方法。
【請求項８】
請求項５〜７の何れかに記載の方法で海草類種苗を移植した海底砂地の周りに、基盤材として鉄鋼スラグを敷設することを特徴とする海草藻場の造成方法。
【請求項９】
前記基盤材として敷設する鉄鋼スラグは、粒径が２５mm以下、比重が２．９以上であることを特徴とする請求項８に記載の海草藻場の造成方法。
【請求項１０】
前記基盤材として敷設する鉄鋼スラグは、微粒分を除いた粒経が２mm以上であることを特徴とする請求項８に記載の海草藻場の造成方法。
【発明の詳細な説明】
【技術分野】
【０００１】
本発明は、種子あるいは苗より海草類種苗を育成する方法、及び海底への移植方法、並びに前記海草類種苗を海底に移植した後海草藻場を造成する方法に関するものであり、種子あるいは苗の成長を良好にして移植した海草類種苗が波によって流出するのを防止するものである。
【背景技術】
【０００２】
近年、沿岸海域における海草藻場は、海域の環境悪化などの影響で急速に衰退が進展してきており、海域及び水産環境の改善を目的として、海底地盤に海草藻場を造成することが非常に重要視されてきている。
【０００３】
アマモ（Zostera marina L.）は多年生の海産顕花植物で、このアマモなどの海草藻場の造成には、種子を播く方法と、苗床を植付ける方法とがある。このうち、種子を播く方法には、種子を海底に直接播く方法、種子をマット状の基盤に取付けて海底に導入する方法、糊状物質と種子を混ぜて海底に撒布する方法、等がある。他方、苗床を植付ける方法は、生分解性容器に植えたアマモなどの海草苗床を海底の移植場の穴に移植する方法がある。
【０００４】
しかしながら、これらの従来方法の場合、移植した海域の波の影響で、海底地盤が移動して播いた種子が流出したり、移植したアマモなどの海草の根が十分にはって安定する前に流されてしまい、その定着が難しいといった問題点があり、アマモ等の海草藻場を安定して人工的に造成することは困難である。
【０００５】
そこで、特許文献１では、生分解性容器内にアマモの種子又は苗を植えて、静穏な場所で育成する一方、アマモを移植しようとする移植場の砂地の表面を石、製鋼スラグ、石炭灰塊等で被覆して、ある程度育成したアマモの苗床を生分解性容器ごと前記移植場に移植する造成方法を提案している。
【０００６】
しかしながら、特許文献１で提案された方法では、アマモの種子又は苗を植えた生分解性容器内は砂泥だけで軽いため、実海域の波の条件によっては生分解性容器ごと移植したアマモの苗が流されてしまう場合がある。
【０００７】
また、特許文献２では、アマモ苗の流出を防止するため、鉄製籠状容器で構成する基盤内に海草類種苗の入った生分解性容器を複数配設すると共にシールズ数をコントロールする礫を充填し、この基盤を海底に設置する方法を提案している。ここで、シールズ数とは、底質を動かそうとする力と底質をとどまらせようとする力の比をいい、シールズ数が小さいほど移動・流出し難くなる。
【０００８】
しかしながら、特許文献２で提案された方法では、移植する海域の波条件に応じて、礫の粒度を調整するための破砕・整粒の費用が莫大となるといった問題がある。更には、礫を使用することは、山の砕石などを採取することとなり、森林破壊といった環境面での悪影響もある。
【先行技術文献】
【特許文献】
【０００９】
【特許文献１】特開２００３‐１１１５３０号公報
【特許文献２】特開２００８‐２５３１９５号公報
【発明の概要】
【発明が解決しようとする課題】
【００１０】
本発明が解決しようとする問題点は、海草藻場の造成に際し、移植場の表面を石、製鋼スラグ、石炭灰塊等で被覆する方法では、波の条件によっては砂泥を装入しただけの生分解性容器ごと移植した苗が流されてしまう場合があるという点である。また、海草類種苗の入った生分解性容器と礫を充填した鉄製籠状容器で構成する基盤を海底に設置する方法では、礫の粒度を調整するための破砕・整粒の費用が莫大となり、また、森林破壊といった環境面での悪影響もあるという点である。
【課題を解決するための手段】
【００１１】
本発明は、海草類種苗を良好に成長させると共に、この海草類種苗を移植して海草藻場を造成する際に、苗床を海底に移植した後に海域の波条件により苗が流されてしまうのを防止し、海底砂地への定着を促進することで、費用を抑制しつつ環境負荷を低減することを目的としている。
【００１２】
本発明の海草類種苗の育成方法、移植方法及び海草藻場の造成方法は、上記目的を達成するためになされたものである。
【００１３】
すなわち、本発明の海草類種苗の育成方法は、
例えば生分解性容器で種子あるいは苗を育成する際に、生分解性容器の内部に充填する、種子あるいは苗の基質内に鉄鋼スラグを混合することを最も主要な特徴としている。
【００１４】
また、本発明の海草類種苗の移植方法は、
上記本発明方法で育成した苗床を海底砂地に移植する際に、生分解性容器内部の表面側を鉄鋼スラグで覆った状態とすることを最も主要な特徴としている。
【００１５】
また、本発明の海草藻場の造成方法は、
上記本発明方法で海草類を移植した海底砂地の周りに、基盤材として鉄鋼スラグを敷設することを最も主要な特徴としている。
【発明の効果】
【００１６】
本発明では、生分解性容器で種子あるいは苗を育成する際に、生分解性容器の内部に鉄鋼スラグを存在させるので、鉄鋼スラグに含まれるSiO2およびP2O5成分により苗の成長が促進して十分に根がはって安定する。
【００１７】
そして、生分解性容器で生産した苗床を移植する海底砂地の周りに基盤材として鉄鋼スラグを敷設するので、移植する海域の波条件により苗が流されるのを防止でき、安定した海草藻場を造成することができる。
【図面の簡単な説明】
【００１８】
【図１】生分解性容器でアマモの苗を植えて、アマモ苗床を育成する本発明の実施形態を説明する図である。
【図２】本発明方法により海底砂地に海草類種苗を移植して海草藻場を造成する本発明方法の実施形態を説明する図である。
【図３】波に対する基盤内の底質のシールズ数と流速振幅の関係を示す図である。
【図４】試験室内で実施したアマモ苗床生育状況を比較した図で、（ａ）は乾燥葉の重さ、（ｂ）は葉の長さを比較した図である。
【発明を実施するための形態】
【００１９】
本発明は、海草類種苗を良好に成長させ、その海草類種苗の移植時に海草類種苗が波によって流出するのを防止するという目的を、生分解性容器内に鉄鋼スラグを存在させた状態で育成すること、さらに移植する海底砂地の周りに、基盤材として鉄鋼スラグを敷設することで実現した。
【実施例】
【００２０】
以下、本発明について詳細に説明する。
製鋼スラグなどの鉄鋼スラグは、鉄鋼製造工程で発生する副産物で、セメント原料、コンクリート骨材、路盤材などとして有効利用されている。
【００２１】
このうち、鉄鋼スラグ路盤材は、その路盤材品種により、いくつかの粒度構成が決められている。また、製鋼スラグの比重は３前後であり砕石・礫と比べて重いので、例えば既に規格化されている２５mmアンダー品の路盤材品種から１０mm以下の製鋼スラグを篩により選別使用すれば、シールズ数をより制御し易くなるといった利点もある。
【００２２】
また、鉄鋼スラグは、珪酸・石灰・リン酸・苦土・酸化鉄・マンガンなどの肥料成分を含有しており、肥料としても使われている。これら肥料成分の供給により、アマモなどの海草類の種子或いは苗の成長も良好になるという効果が期待できる。
【００２３】
発明者らは、これらの鉄鋼スラグの特徴を活かして、製鋼スラグなどの鉄鋼スラグをアマモなどの海草類種苗の生育や、移植、海草藻場の造成に使用することを考え、以下の本発明を成立させた。
【００２４】
すなわち、本発明の海草類種苗の育成方法は、例えば図１に示すように、移植する海草類、例えばアマモを生分解性容器２で種子あるいは苗より育成して苗床を生産する際に、生分解性容器２の内部に充填する基質４内に鉄鋼スラグ３を混合することを特徴とするものである。なお、図１では、種子あるいは苗の成長をより効果的にするために、アマモ苗１を植え付けた生分解性容器２の内部の表面側も鉄鋼スラグ３で覆ったものを示している。
【００２５】
そして、上記本発明方法で育成した苗床を海底砂地に移植するのである。その際、生分解性容器２の内部の表面側を鉄鋼スラグ３で覆っていない場合は、移植時に生分解性容器２の内部の表面側を鉄鋼スラグ３で覆う。これが本発明の海草類種苗の移植方法である。
【００２６】
前記生分解性容器２は、例えば半年〜１年程度で分解する生分解性のプラスチック樹脂材料からなるポット状またはコンテナ状の植栽容器であり、その形状や構造は特に限定されない。この生分解性容器２の底部には、根腐れ防止のための孔２ａが適宜穿たれている。
【００２７】
生分解性容器２の内部に充填するアマモ種子或いはアマモ苗１の培養土となる基質４としては移植場所となる海底の砂泥や、例えば１mm以下の粒子の砂（約７０〜９０容積％）と、バーク堆肥（約１０〜３０容積％）の混合物を採用する。バーク堆肥の混合により、基質４の気相率と栄養分とが向上する。バーク堆肥に代えて腐葉土などを用いてもよい。
【００２８】
また、生分解性容器２の底部には、基質４の流出を防止し、アマモ苗１の根活着を促進させるため、生分解性繊維材料５を予め充填しておく。繊維材料としては、ヤシなどの植物繊維が好ましい。
【００２９】
上記本発明の育成方法によれば、移植するアマモなどの海草類を生分解性容器で種子あるいは苗より育成して苗床を生産する際に、生分解性容器の内部に鉄鋼スラグが存在するので、鉄鋼スラグに含まれるSiO2やP2O5成分により種子或いは苗の成長が促進される。
【００３０】
上記本発明移植方法に使用する前記鉄鋼スラグは、苗の成長促進のためには、化学成分がSiO2：１０質量％以上、P2O5：０．５質量％以上であることが望ましい。また、苗床を海底砂地に移植した後に波条件により苗床が流出することを防ぐためには、前記鉄鋼スラグの粒径が１０mm以下、真比重が２．９以上であることが望ましい。
【００３１】
また、本発明の海草藻場の造成方法は、上記本発明の移植方法により育成した苗床を海底砂地６の周りに移植する際、図２に示すように、基盤材として鉄鋼スラグ７を敷設することを特徴とするものである。
【００３２】
上記本発明造成方法では、海草類苗床を移植した海底砂地の基盤材として、その品種により粒度構成が決められている製鋼スラグなどの鉄鋼スラグを使用するので、礫や砂を使用する場合に比べてシールズ数をよりコントロールし易くなり（図３参照）、苗床を移植する海域の波条件により、苗が流されてしまうのを防止することができる。更にその肥料成分により、移植後の苗の生長も良好となるといった効果を期待できる。
【００３３】
上記本発明造成方法に使用する前記鉄鋼スラグは、苗床を海底砂地に移植した後に波条件により苗床が流出することを防ぐためには、粒径が２５mm以下、比重が２．９以上であることが望ましい。
【００３４】
上記本発明造成方法のように鉄鋼スラグを基盤材料として海底に敷設した場合、鉄鋼スラグの種類によっては、その石灰成分による周辺海域のｐＨ上昇が懸念される。
【００３５】
その場合、微粒分を除いた２mm以上の粒度の製鋼スラグを使用すれば、周辺海域のｐＨ上昇を抑制することができ、周辺海域の環境に影響を与えることなく、製鋼スラグなどの鉄鋼スラグを基盤材料として使用することができる。
【００３６】
その理由は、製鋼スラグ中の粒径が小さい場合には、製鋼スラグと水との接触面積が大きくなってf‐CaOによる水和反応（CaO＋H2O＝Ca(OH)2）の量が短時間で大きくなる可能性があるので、これを回避するためである。
【００３７】
以下、上記本発明の効果を確認するために行った試験結果について説明する。
発明者らは、本発明方法により、試験室などの静穏な場所で、生分解性容器にアマモの苗を植え付けて育成した。
【００３８】
本試験では、アマモ苗の成長促進のため、下記表１に示す化学成分の製鋼スラグを使用した。また、苗床を海底砂地に移植した後に波条件により苗床が流出することを防ぐために、既に規格化されている下記表２に示す粒度構成の２５mmアンダー品の路盤材品種から粒度が１０mm以下の製鋼スラグを篩により選別した、比重が２．９（製鋼スラグ１）と３．０（製鋼スラグ２）の２種類の製鋼スラグで生分解性容器内の表面側を覆った。
【００３９】
【表１】
2014068594.tif 000003
【００４０】
【表２】
2014068594.tif 000004
【００４１】
この方法で海底砂地に移植するまで、試験室内でアマモ苗床を生育させたところ、牡蠣殻の基質のみで生育させた場合（比較例）と、基質の上部に表１に示す化学成分の製鋼スラグ１，２を充填させた場合（製鋼スラグ１，２使用例）とでは、製鋼スラグ１，２の肥料成分の効果で、製鋼スラグ１，２を充填させたほうが、図４に示すように、アマモ苗の生育が良好であった。
【００４２】
次に、試験室にて生分解性容器内で生産したアマモ苗床を、以前アマモが多く群生していたが、海域環境の悪化でアマモが消失した海域に移植し、アマモ場を造成した。
【００４３】
移植した海底砂地において基盤材として、上記表１に示す化学成分の製鋼スラグを使用した。ここでは苗床を海底砂地に移植した後に波条件により苗床が流出することを防ぐために、既に規格化されている２５mmアンダー品の路盤材品種を使用し、真比重３．１の製鋼スラグを使用した。
【００４４】
上記本発明例では、礫・砕石と比べて比重が大きい製鋼スラグを基盤材として使用したので、より効果的にアマモ苗が流されるのを防止することができた。アマモ苗が波に流されるのを防止できたことで、製鋼スラグを基盤材として使用した本発明例では、製鋼スラグを基盤材として使用しない場合と比べて移植後のアマモの株数が増加した。また、アマモ苗の生長も、製鋼スラグを基盤材として使用した場合は、製鋼スラグを基盤材として使用しない場合と比較して良好であった。
【００４５】
また、上記本発明例では、アマモ場を造成する場合に使用した製鋼スラグの石灰成分であるf‐CaO（フリーライム成分）が０．２４質量％或いは０．４６質量％と、６質量％未満であったので、２mm以下の微粒分を除かなくても製鋼スラグを海底砂地に敷設した際の海水のｐＨ上昇が無く、周辺海域への影響は無かった。
【００４６】
しかしながら、製鋼スラグの石灰成分であるf‐CaOが６質量％以上の場合は、２mm以下の微粒分を除くことで、製鋼スラグを海底砂地に敷設した際のｐＨ上昇を抑制し、周辺海域に影響を及ぼすことなく、アマモ場を安定的に造成することができることは、先に説明した通りである。
【００４７】
このように、本発明によれば、製鋼スラグなどの鉄鋼スラグをアマモ場などの海草藻場の基盤材料として使用することにより、波による苗の流出を防ぐことができ、更に鉄鋼スラグの肥料成分による苗の生長促進により、安定したアマモ場などの海草藻場を造成することができた。
【００４８】
本発明は上記した例に限らないことは勿論であり、請求項に記載の技術的思想の範疇であれば、適宜実施の形態を変更しても良いことは言うまでもない。
【００４９】
例えば、本願明細書では海草類としてアマモを使用した場合について説明しているが、本発明方法はアマモに限らず、コアマモ（Zostera Japonica Aschers. Et Graebn.）、タチアマモ（Zostera caulescens Miki）等をはじめとする海草類にも適用可能なことは言うまでもない。
【００５０】
また、上記の例では苗より育成して苗床を生産しているが、種子より育成して苗床を生産しても良い。
【符号の説明】
【００５１】
１    アマモ苗
２    生分解性容器
３    鉄鋼スラグ
４    基質
６    海底砂地
７    鉄鋼スラグ
【図１】
2014068594.tif 000005
【図２】
2014068594.tif 000006
【図３】
2014068594.tif 000007
【図４】
2014068594.tif 000008